(57)【要約】【課題】水回路への組み込みが容易な逆止弁装置を提供することを目的とする。【解決手段】逆止弁装置１０は、ケース１と蓋５とを一体化するとともに弁コマ２の両端部に前記ケース１と蓋５とにそれぞれ案内される摺動案内部２Ａ、２Ｂを設けてなるものである。これにより、ケース１と蓋５とがユニット化され、その取り扱いが簡単にでき、水回路への組み込みが容易であり、しかも、弁コマ２の両端部の摺動案内部２Ａ、２Ｂがケース１と蓋５とにそれぞれ案内されるため、より安定した逆止効果が得られるものである。【選択図】図１
2005140150.tif 000002
【特許請求の範囲】
【請求項１】
弁座を配設したケースと、前記ケースの内筒側を摺動し水路の開閉を行う弁コマと、前記弁コマに設けたケースと前記弁コマとの水密性を確保するパッキンと、前記弁コマと前記パッキンを前記ケースの弁座に密着させる力を加えるバネと、前記弁コマの摺動を支持する蓋とを備え、前記ケースと前記蓋とを一体化するとともに前記弁コマの両端部に前記ケースと前記蓋とにそれぞれ案内される摺動案内部を設けてなる逆止弁装置。
【請求項２】
弁コマの摺動案内部は、前記弁コマの摺動動作の最大ストロークと同等以上の寸法に設定してなる請求項１に記載の逆止弁装置。
【請求項３】
弁コマのパッキンを設けた装着部は、溝形状が略角溝に形成してなる請求項１または２に記載の逆止弁装置。
【請求項４】
弁コマのパッキンを設けた装着部の寸法は、前記パッキンの内径寸法と同等以下に設定してなる請求項１〜３のいずれか１項に記載の逆止弁装置。
【請求項５】
弁コマとパッキンを弾性材で一体構成してなる請求項１〜４のいずれか１項に記載の逆止弁装置。
【請求項６】
請求項１〜５のいずれか１項に記載の逆止弁装置を水回路に使用してなる洗浄装置。
【発明の詳細な説明】
【技術分野】
【０００１】
本発明は、水回路に用いる逆止弁装置とそれを使用した洗浄装置に関するものである。
【背景技術】
【０００２】
従来、この種の逆止弁装置とそれを使用した洗浄装置はすでに知られている（例えば、特許文献１参照）。
【特許文献１】特開平１０−２６６３０８号公報
【発明の開示】
【発明が解決しようとする課題】
【０００３】
しかしながら、前記従来の構成の逆止弁装置は、逆止弁単品としての機能は十分であっても逆止弁を構成する部材がユニット化されておらず、その取り扱いに注意を要し、洗浄装置の水回路への組み込み如何によっては逆止弁装置の機能にも影響しかねないという課題を有していた。
【０００４】
本発明は、前記従来の課題を解決するもので、水回路への組み込みが容易な逆止弁装置とそれを使用した洗浄装置を提供することを目的とする。
【課題を解決するための手段】
【０００５】
前記従来の課題を解決するために、本発明の逆止弁装置は、ケースと蓋とを一体化するとともに弁コマの両端部にケースと蓋とにそれぞれ案内される摺動案内部を設けてなるものであり、洗浄装置はその逆止弁装置を使用したものである。
【０００６】
これにより、逆止弁装置は、ケースと蓋とを一体化することによりユニット化され、その取り扱いが簡単にでき、水回路への組み込みが容易であり、しかも、弁コマの両端部の摺動案内部がケースと蓋とにそれぞれ案内されるため、より安定した逆止効果が得られるとともに、この逆止弁装置を使用した洗浄装置は、確実な逆止性能が得られるものである。
【発明の効果】
【０００７】
本発明の逆止弁装置とそれを使用した洗浄装置は、水回路への組み込みが容易で、確実な逆止性能が得られるものである。
【発明を実施するための最良の形態】
【０００８】
第１の発明は、弁座を配設したケースと、ケースの内筒側を摺動し水路の開閉を行う弁コマと、弁コマに設けたケースと弁コマの水密性を確保するパッキンと、弁コマとパッキンをケースの弁座に密着させる力を加えるバネと、弁コマの摺動を支持する蓋とを備え、ケースと蓋とを一体化するとともに弁コマの両端部にケースと蓋とにそれぞれ案内される摺動案内部を設けてなる逆止弁装置とすることにより、逆止弁装置は、ケースと蓋とを一体化することでユニット化され、その取り扱いが簡単にでき、水回路への組み込みが容易であり、しかも、弁コマの両端部の摺動案内部がケースと蓋とにそれぞれ案内されるため、より安定した逆止効果が得られるものである。
【０００９】
第２の発明は、特に、第１の発明における弁コマの摺動案内部は、弁コマの摺動動作の最大ストロークと同等以上の寸法に設定してなることにより、弁コマがケースと蓋の案内から外れたり芯振れしたりすることなく、スムーズな開閉弁動作ができるものである。
【００１０】
第３の発明は、特に、第１または第２の発明における弁コマのパッキンを設けた装着部は、溝形状が略角溝に形成してなることにより、弁コマとパッキンとの接合面を面接触から点接触に変更でき、接触面積が小さくなることから、微小な力で弁コマとパッキンとの密着力を得て、より確実な水密性が確保できるものである。
【００１１】
第４の発明は、特に、第１〜第３のいずれか１つの発明における弁コマのパッキンを設けた装着部の寸法は、パッキンの内径寸法と同等以下に設定してなることにより、パッキンを圧迫することなく装着部に装着できるため、パッキンを弁コマに装着する時に生じるねじれが、装着後においては、パッキンの復元力で元に戻り、弁コマとパッキンとの間に発生していた隙間がなくなり、より確実な水密性が確保できるものである。
【００１２】
第５の発明は、特に、第１〜第４のいずれか１つの発明における弁コマとパッキンを弾性材で一体構成してなることにより、シール箇所の削減と部品点数の削減ができ、組み立て工数を含めた総合コストが低減できる。さらに、材料を弾性材で構成することにより、蓋と弁コマの嵌合部で生じる微小な振動によって発生する振動騒音がほぼ完全に無くなり、更なる低騒音が実現するものである。
【００１３】
第６の発明は、特に、第１〜第５のいずれか１つの発明における逆止弁装置を、水回路に使用してなる洗浄装置とすることにより、洗浄装置として確実な逆止性能が得られるものである。
【００１４】
以下、本発明の実施の形態について、図面を参照しながら説明する。なお、この実施の形態によって本発明が限定されるものではない。
【００１５】
（実施の形態１）
図１、図２は、本発明の実施の形態１における逆止弁装置を示すものである。
【００１６】
本実施の形態における逆止弁装置は、図に示すように、弁座１Ａを配設したケース１と、ケース１の内筒側を摺動し水路の開閉を行う弁コマ２と、弁コマ２に設けたケース１と弁コマ２の水密性を確保するパッキン３と、弁コマ２とパッキン３をケース１の弁座１Ａに密着させる力を加えるバネ４と、弁コマ２の摺動を支持する蓋５とを備え、ケース１と蓋５とを一体化するとともに弁コマ２の両端部に前記ケース１と蓋５とにそれぞれ案内される摺動案内部２Ａ、２Ｂを設けてなるものである。
【００１７】
ケース１と蓋５とは、図のように爪による着脱嵌合により一体化しており、全体としてユニット化している。また、パッキン３は、弁コマ２の外周に形成された装着部２Ｃに装着されている。さらに、弁コマ２の摺動案内部２Ａは、複数のリブからなり、弁コマ２の摺動案内部２Ｂは、弁コマ２の軸からなっている。そして、摺動案内部２Ａは、ケース１のケース穴１Ｂに嵌合し、第一の摺動案内Ｇを構成する。摺動案内部２Ｂは、蓋５の蓋穴５Ａに嵌合し、第二の摺動案内ＧＡを構成する。
【００１８】
以上のようにユニット化された逆止弁装置１０は、ケース１の外周部に形成された装着部２Ｅに装着されたパッキン６を介して水密的に水回路８内に取り付けられている。これにより、ケース１内には、水回路８の１次側から２次側に通ずる水路７が形成される。
【００１９】
上記した逆止弁装置１０においては、通常は、図１に示す状態であるが、水回路８の１次側から流れが生ずると、図２に示すように、流体の圧力によって、弁コマ２はバネ４に抗して押上げられ、水路７を通して水回路８の１次側から２次側に流体が流れるものである。ここで、図１において、水回路８の１次側が負圧になった場合、２次側より１次側に流体９（水道水の場合、２次側媒体は汚水となる）が流入しようとするが、ケース１の弁座１Ａに弁コマ２のパッキン３をバネ４の戻り力で押し付け、水密性を確保し、流体９の逆流防止が行なわれる。
【００２０】
このように、本実施の形態における逆止弁装置においては、逆流防止効果が得られるものであるが、特に、ケース１と蓋５とを一体化することでユニット化され、その取り扱いが簡単にでき、水回路８への組み込みが容易となるものである。これにより、逆止弁装置の組み込みが確実に行え、組み込み作業により逆止弁機能に影響を与えることがない。
【００２１】
また、弁コマ２の両端部の摺動案内部２Ａ、２Ｂがケース１と蓋５とにそれぞれ案内されるため、ユニット化することと相俟って、より安定した逆止効果が得られるものである。すなわち、弁コマ２が摺動を繰り返しても、弁コマ２とパッキン３がケース１の弁座１Ａにほぼ一定位置で水平状態に密着させることができ、シール面の密着性が良く、安定した逆止弁１２の水密性を維持することができる。そのため、逆止性能が大幅に向上するものである。また、弁コマ２の両端部に摺動案内Ｇと摺動案内ＧＡを設けたことによって、弁コマ２の開弁時に流体の流れによって発生する乱流で、弁コマ２の細かな左右振れが発生し、弁コマ２と蓋５の嵌合部で共振していた左右振れが減少することにより、共振振動音が発生しにくくなり、その結果、騒音値が大幅に低減でするという二次効果も得られる。
【００２２】
（実施の形態２）
次に、本発明の実施の形態２における逆止弁装置について、先に示した図１、図２により説明する。
【００２３】
本実施の形態においては、図に示すように、弁コマ２の摺動案内部２Ａの寸法Ｌ２は、弁コマ２の摺動動作における最大ストロークの寸法Ｌ１と同等以上の寸法に設定しているものである。なお、弁コマ２の摺動案内部２Ｂの寸法についても、当然、最大ストロークの寸法Ｌ１と同等以上であることは言うまでもない。
【００２４】
これにより、弁コマ２がケース１と蓋５の案内から外れたり芯振れしたりすることなく、スムーズな開閉弁動作ができるものである。
【００２５】
(実施の形態３)
次に、本発明の実施の形態３における逆止弁装置について、先に示した図１、図２により説明する。
【００２６】
本実施の形態においては、図に示すように、弁コマ２のパッキン３を設けた装着部２Ｃは、溝形状を略角溝に形成しているものである。
【００２７】
これにより、弁コマ２とパッキン３との接合面を面接触から点接触に変更でき、接触面積が小さくなることから、微小な力で弁コマ２とパッキン３との密着力を得て、より確実な水密性が確保できるものである。すなわち、一般的には、Ｒ形状の弁コマ２の溝形状とパッキン３（一般に、Ｏリング）の形状を一致させていたが、弁コマ２は、通常、樹脂成形品を用いるため、成形のヒケや変形により、パッキン３との密着性が悪くなる場合があり、弁コマ２とパッキン３との間にできる微細隙間から流体９がスロ−リークする恐れがあるが、前記のように弁コマ２とパッキン３との接合面を点接触とすることにより、接触面積が小さくなり、微小な力で弁コマ２とパッキン３との密着力を得ることができ、より確実な水密性が確保できるものである。
【００２８】
（実施の形態４）
次に、本発明の実施の形態４における逆止弁装置について、先に示した図１、図２により説明する。
【００２９】
本実施の形態においては、図に示すように、弁コマ２のパッキン３を設けた装着部２Ｃの外径寸法２Ｄは、パッキン３の内径寸法３Ｄと同等以下に設定してなるものである。
【００３０】
これにより、パッキン３を圧迫することなく装着部２Ｃに装着できるため、パッキン３を弁コマ２に装着する時に生じるねじれが、装着後においては、パッキン３の復元力で元に戻り、弁コマ２とパッキン３との間に発生していた隙間がなくなり、より確実な水密性が確保できるものである。すなわち、弁コマ２の装着部２Ｃの外径寸法２Ｄをパッキン３の内径寸法３Ｄより大きく設定した場合は、弁コマ２の装着部２Ｃにパッキン３を装着するときに、パッキン３がねじれた状態で装着される。このパッキン３のねじれによって弁コマ２とパッキン３との間に微小隙間が発生し、弁コマ２とパッキン３との間にできる微細隙間から流体９がスロ−リークする恐れがあるが、前記のように弁コマ２の装着部２Ｃの外径寸法２Ｄをパッキン３の内径寸法３Ｄと同等以下に設定したことにより、より確実な水密性が確保できる。
【００３１】
（実施の形態５）
図３は、本発明の実施の形態５における逆止弁装置を示すものである。
【００３２】
本実施の形態においては、図に示すように、弁コマ２とパッキン３を弾性材で一体成形により構成してなるものである。そして、弾性材としては、例えば、ゴム材料、エラストマー、軟質塩ビ等、弾性を有する材料が用いられるものである。
【００３３】
これにより、弁コマ２とパッキン３を一体化でき、シール箇所の削減と部品点数の削減ができ、組み立て工数を含めた総合コストも低減できるものである。さらに、材料を弾性材で構成することにより、蓋５と弁コマ２の嵌合部で生じる微小な振動によって発生する振動騒音が弾性材の振動吸収効果によって、ほぼ完全に無くなり、さらなる低騒音が実現するものである。
【００３４】
（実施の形態６）
図４は、本発明の実施の形態６における、逆止弁装置を使用した洗浄装置を示すものである。
【００３５】
本実施の形態における洗浄装置は、図に示すように、便器２０に載置された洗浄便座２１に、給水栓２２より分岐水栓２３によって給水分岐をし、連結管２４を介して給水する。給水された水は、洗浄便座２１を使用する使用者の操作によってノズル２５から洗浄水を使用者の局部に向かって供給するものである。この分岐水栓２３からノズル２５の間に、各実施の形態１〜５のいずれか１つの逆止弁装置１０を配設しているものである。
【００３６】
このように、逆止弁装置１０を配設することにより、例えば、断水（負圧になりやすい）などのような異常が発生した場合でも、逆止弁装置１０の二次側にある水（汚水とみなす）を給水一次側に逆流することを防止できるものである。従って、本実施の形態においては、洗浄装置として確実な逆止性能が得られ、同時に低騒音化も図れるものである。
【００３７】
なお、上記した各実施の形態１〜６における各構成は、実施の形態そのものに限られるものではなく、それ以外の構成であっても同一機能を有するものであれば、本発明に含まれるものである。また、各実施の形態１〜６における各構成は、必要に応じて適宜組み合わせて用いることができるものである。
【産業上の利用可能性】
【００３８】
以上のように、本発明にかかる逆止弁装置は、水回路への組み込みが容易であり、しかも、より安定した逆止効果が得られるとともに、この逆止弁装置を使用した洗浄装置は、確実な逆止性能が得られるものであるため、トイレ装置など水利用機器として有用である。
【図面の簡単な説明】
【００３９】
【図１】本発明の実施の形態１〜４における逆止弁装置の閉弁状態を示す断面図
【図２】同逆止弁装置の開弁状態を示す断面図
【図３】本発明の実施の形態５における逆止弁装置の閉弁状態を示す断面図
【図４】本発明の実施の形態６における洗浄装置を示す斜視図
【符号の説明】
【００４０】
１  ケース
２  弁コマ
３  パッキン
４  バネ
５  蓋
７  水路
８  水回路
１０  逆止弁装置
２１  洗浄便座
【図１】
2005140150.tif 000003
【図２】
2005140150.tif 000004
【図３】
2005140150.tif 000005
【図４】
2005140150.tif 000006